(57)【要約】【課題】医療用のガイドワイヤにおいて、先端部のＵ字屈曲からの復元性の向上、ガイドワイヤ使用時のガイドワイヤのＵ字屈曲発達の防止を達成することを目的とする。【解決手段】ガイドワイヤ１では、コアシャフト２の先端部２２に並行して撚線３が配されている。また、外側可撓管体４の内側でコアシャフト２の先端部２２及び撚線３を囲う内側可撓管体５を備え、内側可撓管体５は、その先端５１がコアシャフト２及び撚線３の先端から後端側に離間して位置するように配され、内側可撓管体５の先端と、コアシャフト２及び撚線３とが接合する接合部６が設けられている。これにより、接合部６の先端側と後端側とで剛性差が生じる上、接合部６で剛性が高くなるので、ガイドワイヤ１の使用時に、血管等の管腔内でＵ字形状に屈曲しても、その屈曲は、剛性の高い接合部６の存在により、接合部６より後端側には発展しにくくなる。【選択図】図２
2011000192.tif 000002
【特許請求の範囲】
【請求項１】
細径の先端部を有するコアシャフトと、
前記コアシャフトの外周を囲う外側可撓管体とを備える医療用ガイドワイヤであって、
前記コアシャフトの先端部に並行して配される撚線と、
前記外側可撓管体の内側で前記コアシャフトの先端部及び前記撚線とを囲う内側可撓管体とを備え、
前記コアシャフト及び前記撚線の先端が前記外側可撓管体の先端と接合され、
前記内側可撓管体は、その先端が、前記コアシャフト及び前記撚線の先端から後端側に離間して位置するように配され、
前記内側可撓管体の先端と、前記コアシャフト及び前記撚線とが接合する接合部が設けられていることを特徴とする医療用ガイドワイヤ。
【請求項２】
請求項１に記載の医療用ガイドワイヤにおいて、
前記コアシャフトは、その外径が先端に向かって段階的に細くなっていることを特徴とする医療用ガイドワイヤ。
【請求項３】
請求項１または２に記載の医療用ガイドワイヤにおいて、
前記内側可撓管体は、その外径が先端に向かって徐々に細くなるテーパ状を呈していることを特徴とする医療用ガイドワイヤ。
【請求項４】
請求項１または２に記載の医療用ガイドワイヤにおいて、
前記内側可撓管体は、その外径が先端に向かって段階的に細くなっていることを特徴とする医療用ガイドワイヤ。
【請求項５】
請求項３または４に記載の医療用ガイドワイヤにおいて、
前記内側可撓管体は、その内径が先端から後端にかけて一定であることを特徴とする医療用ガイドワイヤ。
【請求項６】
請求項１〜５のいずれかに記載の医療用ガイドワイヤにおいて、
前記内側可撓管体は、複数の金属素線を撚合してなる多条の中空撚線コイルであることを特徴とする医療用ガイドワイヤ。
【請求項７】
請求項６に記載の医療用ガイドワイヤにおいて、
前記中空撚線コイルを形成する金属素線は、ステンレス合金で形成されていることを特徴とする医療用ガイドワイヤ。
【請求項８】
請求項６に記載の医療用ガイドワイヤにおいて、
前記中空撚線コイルを形成する金属素線は、擬弾性合金で形成されていることを特徴とする医療用ガイドワイヤ。
【請求項９】
請求項６に記載の医療用ガイドワイヤにおいて、
前記中空撚線コイルは、ステンレス合金でなる金属素線と、擬弾性合金でなる金属素線とを組み合わせて形成されていることを特徴とする医療用ガイドワイヤ。
【請求項１０】
請求項１〜９のいずれかに記載の医療用ガイドワイヤにおいて、
前記コアシャフトは、先端側が擬弾性合金で形成され、後端側がステンレス合金で形成されていることを特徴とする医療用ガイドワイヤ。
【請求項１１】
請求項１〜９のいずれかに記載の医療用ガイドワイヤにおいて、
前記コアシャフトの先端部は、先端から順に、ステンレス合金で形成された第１先端部と、前記第１先端部の後端側に擬弾性合金で形成される第２先端部とを有し、
前記第２先端部の後端側はステンレス合金で形成されていることを特徴とする医療用ガイドワイヤ。
【請求項１２】
請求項１〜１１のいずれかに記載の医療用ガイドワイヤにおいて、
前記外側可撓管体は、
単コイルであり、前記外側可撓管体の先端から所定距離範囲において、前記外側可撓管体の後端部よりも単コイルのピッチが広がったピッチ拡大部を備え、
前記ピッチ拡大部の後端は、前記接合部よりも後端側に配置されていることを特徴とする医療用ガイドワイヤ。
【発明の詳細な説明】
【技術分野】
【０００１】
本発明は、血管、尿管、器官等へのカテーテルの挿入や、血管の動脈瘤形成部への体内留置具の挿入の際にガイドとして用いられる医療の分野に好適な医療用ガイドワイヤに関する。
【背景技術】
【０００２】
医療用ガイドワイヤには、一般的に、先端側の柔軟性と、手元操作が先端側へ伝達しやすいこととが要求されている。
そこで、上記の要求を満たすべく、従来のガイドワイヤ１００には、コアシャフト１０１の外周にコイルスプリング体１０２が外装されて構成され、コアシャフト１０１の先端部１０３を柔軟性向上のため細く加工したものがある（図５参照）。
【０００３】
ところで、ガイドワイヤ１００を用いてカテーテルや体内留置具等のデバイスを体内の目的部位まで誘導する際には、ガイドワイヤ１００の先端部が血管内で意図せずＵ字形状に折れ曲がることがある。また、目的以外の血管への迷入を防止したり、復元力を利用して血管壁への係止力を高めたりするために、ガイドワイヤ１００を予めＵ字形状に屈曲させて導入する手技もある。
【０００４】
ここで、従来のガイドワイヤ１００では、コアシャフト１０１の先端部１０３を細くしているので剛性が低く、応力集中による屈曲が起こりやすい。そして、一度コアシャフト１０１がＵ字形状に折れ曲がってしまうと塑性変形してしまい、Ｕ字形状を解除しても残留角度が残る。そして、この残留角度により、その後のガイドワイヤ１００の操作性が低下してしまい、ガイドワイヤ１００を手術途中で交換しなければならない場合があった。
【０００５】
尚、ガイドワイヤ１００には、コアシャフト１０１の先端部１０３を撚線構造としたものがあるが（特許文献１参照）、このようなガイドワイヤ１００では、屈曲状態からの復元性をある程度有するものの、曲率の大きなＵ字形状に屈曲した場合には、Ｕ字形状を解除しても復元せず、残留角度の問題は解決されなかった。
【０００６】
また、ガイドワイヤ１００には、コイルスプリング体１０２とコアシャフト１０１との間に放射線不透過性の内コイルを配したものがある（特許文献２、３参照）。このようなガイドワイヤ１００では、内コイルがある部分ではガイドワイヤ１００の先端部の剛性が向上するものの、やはりＵ字形状に折れ曲がった後の残留角度の問題は解決されなかった。
【先行技術文献】
【特許文献】
【０００７】
【特許文献１】特開２００８−１６１４９１号公報
【特許文献２】特開平８−１７３５４７号公報
【特許文献３】特表２００６−５１１３０４号公報
【発明の概要】
【発明が解決しようとする課題】
【０００８】
本発明は、上記の問題点を解決するためになされたものであり、その目的は、ガイドワイヤ先端部のＵ字屈曲からの復元性の向上、ガイドワイヤ使用時のガイドワイヤのＵ字屈曲発達の防止にある。
【課題を解決するための手段】
【０００９】
〔請求項１の手段〕
請求項１に記載の医療用ガイドワイヤ（以下、ガイドワイヤと呼ぶ）は、細径の先端部を有するコアシャフトと、コアシャフトの外周を囲う外側可撓管体と、コアシャフトの先端部に並行して配される撚線と、外側可撓管体の内側でコアシャフトの先端部及び撚線とを囲う内側可撓管体とを備える。
そして、コアシャフト及び撚線の先端が外側可撓管体の先端と接合され、内側可撓管体は、その先端が、コアシャフト及び撚線の先端から後端側に離間して位置するように配されている。
【００１０】
撚線は素線間で相対的に微小な移動が可能であるため、自由度があり、柔軟性が高い上、塑性変形し難く、復元性が高い。このため、コアシャフトの先端部と並行に撚線を設けることで、ガイドワイヤのＵ字屈曲からの復元性が向上する。
また、コアシャフト及び撚線の外周を内側可撓管体が囲うため、ガイドワイヤの復元性が向上する。
【００１１】
そして、内側可撓管体が、コアシャフト及び撚線の先端から後端側に離間した位置に先端がくるように配されており、内側可撓管体の先端と、コアシャフト及び撚線とが接合する接合部が設けられている。
【００１２】
これによれば、接合部の先端側と後端側とで剛性差が生じる上、接合部で剛性が高くなる。すなわち、接合部の先端側は「外側可撓管体＋コアシャフト及び撚線」となり、接合部の後端側は「外側可撓管体＋内側可撓管体＋コアシャフト及び撚線」となるので、接合部を境界に剛性差が生じ、接合部では内側可撓管体の先端とコアシャフト及び撚線とが固着されるため剛性が高くなる。
【００１３】
このため、ガイドワイヤの使用時に、血管等の管腔内でＵ字形状に屈曲しても、その屈曲は、剛性の高い接合部の存在により、接合部より後端側には発展しにくくなる。このため、Ｕ字屈曲の発達を柔軟性に優れたガイドワイヤの先端部分にとどめることができる。つまり、高い復元性が確保された部分でＵ字屈曲されるので、ガイドワイヤが屈曲したまま塑性変形してしまうことがなく、ガイドワイヤの復元性を向上することができる。
また、仮に、接合部でＵ字屈曲発達が止められず、接合部の後端側が屈曲したとしても、内側可撓管体が存在するため、屈曲解除による復元性がよい。
【００１４】
〔請求項２の手段〕
請求項２に記載のガイドワイヤによれば、コアシャフトは、その外径が先端に向かって段階的に細くなっている。
【００１５】
これによれば、コアシャフトの後端から先端に向けて段階的に剛性を低くすることができる。また、段階的に細くすることで、コアシャフトの所望の位置を所望の剛性に設定することができる。
【００１６】
〔請求項３の手段〕
請求項３に記載のガイドワイヤによれば、内側可撓管体は、外径が先端に向かって徐々に細くなるテーパ状を呈している。
これによれば、先端に向かって内側可撓管体の剛性が徐々に低くなるため、ガイドワイヤを先端に向けて剛性が低くなる剛性徐変構造とすることができる。このため、剛性の急激な変化による応力集中の発生を低減することができる。
また、内側可撓管体の先端側の径を細くすることで、ガイドワイヤの柔軟性が向上し、管腔末梢部への挿入性が向上する。
【００１７】
〔請求項４の手段〕
請求項４に記載のガイドワイヤによれば、内側可撓管体は、その外径が先端に向かって段階的に細くなっている。
これによれば、請求項３と同様にガイドワイヤを剛性徐変構造にすることができるとともに、管腔末梢部への挿入性を向上することができる。また、段階的に細くすることで、内側可撓管体の所望の位置を所望の剛性に設定することができる。
【００１８】
〔請求項５の手段〕
請求項５に記載のガイドワイヤによれば、内側可撓管体は、その内径が先端から後端にかけて一定である。
これによれば、コアシャフト及び撚線の内側可撓管体への挿入が容易となり、好適なガイドワイヤの組み付けを容易にすることができる。
【００１９】
〔請求項６の手段〕
請求項６に記載のガイドワイヤでは、内側可撓管体が、複数の金属素線を撚合してなる多条の中空撚線コイルである。
これによれば、内側可撓管体を多条中空撚線コイルとすることで、単線コイルと比較して、トルク伝達性が向上する。このため、使用者の狙い通りにガイドワイヤが操作できるので、治療時間を短縮できる。
【００２０】
〔請求項７の手段〕
請求項７に記載のガイドワイヤでは、中空撚線コイルを形成する金属素線が、ステンレス合金で形成されている。
これによれば、内側可撓管体の剛性を高めることができ、ガイドワイヤのトルク伝達性及び操作性を向上させることができる。
【００２１】
〔請求項８の手段〕
請求項８に記載のガイドワイヤでは、中空撚線コイルを形成する金属素線が、擬弾性合金で形成されている。
これによれば、内側可撓管体の復元性を高めることができ、ガイドワイヤとしても先端部の復元性を向上させることができる。
【００２２】
〔請求項９の手段〕
請求項９に記載のガイドワイヤでは、中空撚線コイルが、ステンレス合金でなる金属素線と、擬弾性合金でなる金属素線とを組み合わせて形成されている。
これによれば、ステンレス合金で中の内側可撓管体の剛性を高め、擬弾性合金で内側可撓管体の復元性を高めることができる。このため、ガイドワイヤのトルク伝達性、操作性、及び復元性を向上させることができる。
【００２３】
〔請求項１０の手段〕
請求項１０に記載のガイドワイヤによれば、コアシャフトは、先端側が擬弾性合金で形成され、後端側がステンレス合金で形成されている。
これによれば、ガイドワイヤの先端部の復元性を向上させるとともに、トルク伝達性及び操作性を向上させることができる。
【００２４】
〔請求項１１の手段〕
請求項１１に記載のガイドワイヤによれば、コアシャフトの先端部は、先端から順に、ステンレス合金で形成された第１先端部と、第１先端部の後端側に擬弾性合金で形成される第２先端部とを有し、第２先端部の後端側はステンレス合金で形成されている。
これによれば、擬弾性合金によりコアシャフトの先端部の復元性を向上させることができる。また、擬弾性合金で形成された部分の先端側及び後端側の両方にステンレス合金で形成された部分を設けることにより、後端側のトルクを確実に先端側に伝達することができ、トルク伝達性及び操作性をさらに向上させることができる。
【００２５】
〔請求項１２の手段〕
請求項１２に記載のガイドワイヤによれば、外側可撓管体は単コイルであり、外側可撓管体の先端から所定距離範囲において、外側可撓管体の後端部よりも単コイルのピッチが広がったピッチ拡大部を備え、ピッチ拡大部の後端は、接合部よりも後端側に配置されている。
これによれば、ガイドワイヤの先端の柔軟性を確保し、より滑らかな剛性徐変構造を形成することができる。
【図面の簡単な説明】
【００２６】
【図１】ガイドワイヤの側面図（一部断面図含む）である（実施例１）。
【図２】ガイドワイヤ先端部の側部断面図である（実施例１）。
【図３】（ａ）、（ｂ）はガイドワイヤ先端部の血管内でのＵ字屈曲発達を示す図である（実施例１）。
【図４】コアシャフトの部分側面図である（変形例）。
【図５】ガイドワイヤ先端部の側部断面図である（従来例）。
【発明を実施するための形態】
【００２７】
最良の形態１のガイドワイヤは、細径の先端部を有するコアシャフトと、コアシャフトの外周を囲う外側可撓管体と、コアシャフトの先端部に並行して配される撚線と、外側可撓管体の内側でコアシャフトの先端部及び撚線とを囲う内側可撓管体とを備える。
そして、コアシャフト及び撚線の先端が外側可撓管体の先端と接合され、内側可撓管体は、その先端が、コアシャフト及び撚線の先端から後端側に離間して位置するように配されている。
そして、内側可撓管体の先端と、コアシャフト及び撚線とが接合する接合部が設けられている。
【００２８】
また、コアシャフトは、その外径が先端に向かって段階的に細くなっている。
また、内側可撓管体は、複数の金属素線を撚合してなる多条の中空撚線コイルであり、外径が先端に向かって徐々に細くなるテーパ状を呈している。また、内側可撓管体は、その内径が先端から後端にかけて一定である。また、中空撚線コイルを形成する金属素線は、ステンレス合金で形成されている。
【００２９】
そして、外側可撓管体は単コイルであり、外側可撓管体の先端から所定距離範囲において、外側可撓管体の後端部よりも単コイルのピッチが広がったピッチ拡大部を備え、ピッチ拡大部の後端は、接合部よりも後端側に配置されている。
【実施例１】
【００３０】
〔実施例１の構成〕
実施例１のガイドワイヤ１の構成を、図１〜３を用いて説明する。図１、２において、図示右側が先端側、左側が後端側である。
ガイドワイヤ１は、コアシャフト２と、コアシャフト２と並行に配された撚線３と、コアシャフト２及び撚線３が貫挿される外側可撓管体４と、外側可撓管体４の内側に設けられた内側可撓管体５とを備え、コアシャフト２及び撚線３を内側可撓管体５に貫挿し、さらに、これらを外側可撓管体４内に貫挿してなる。
【００３１】
コアシャフト２は、ステンレス合金で形成されており、後端側に太径の把持部２１を有し、先端側に細径の先端部２２を有する。コアシャフト２の先端部２２は段階的に細くされており、段部２３を介して径小にされた径小部２５を有する。尚、本実施例では、例えば、径小部２５の外径は０．０３ｍｍである。
【００３２】
撚線３は、複数本のステンレス線材等の金属素線を撚合して形成されている。本実施例では、例えば、外径０．０１４ｍｍのステンレス素線を７本撚合して形成されている。
撚線３はコアシャフト２の先端部２２と並行して配されており、撚線３の先端はコアシャフト２の先端とともに外側可撓管体４の先端の先端ロー付け部４１にはんだ付けされており、撚線３の後端はコアシャフト２の径小部２５の後端よりも後端側に位置し、撚線３の後端部は、段部２３の後端側において、コアシャフト２とともに内側可撓管体５にはんだ付けされている（はんだ付け部７）。
【００３３】
外側可撓管体４は、ステンレス素線により形成された単コイルであり、本実施例では、例えば、外径０．０５ｍｍのステンレス素線で単コイルの外径０．３５５ｍｍに形成されている。
また、外側可撓管体４は、先端側により柔軟性を与えるため先端側のみコイルピッチが広げられたピッチ拡大部４３を有する。このピッチ広げは、軸方向において、後述する内側可撓管体５の先端５１よりも後端側まで施されている。
尚、外側可撓管体４は、可撓性を有していればよく、単コイルに限らず、中空撚線コイル、樹脂チューブ等であってもよい。
【００３４】
外側可撓管体４は、コアシャフト２の先端側のみに外装されて外側可撓管体４の後端４２がコアシャフト２の後端側の太径部分の外周面に固着されている。また、外側可撓管体４の外周面には、親水性の樹脂被覆が施されている。
【００３５】
内側可撓管体５は、複数本のステンレス素線により形成された中空撚線コイルである。中空撚線コイルは、複数本の素線をロープ撚線機を用いてロープ状に撚合わせて、中心材を抜いた中空形態、または、複数の素線を中空状に撚合構成した形態が好ましい。
本実施例では、例えば、柔軟性とトルク伝達性のバランスを良好にするため、外径０．０４ｍｍのステンレス素線を６本撚合して外径０．１８８ｍｍに形成されている。
また、内側可撓管体５の先端部５２は、電解研磨により外径が先端に向かって小さくなるテーパ状に加工されている。尚、内側可撓管体５の内径は後端から先端にかけて一定である。
【００３６】
内側可撓管体５は、外側可撓管体４の内径よりも小さい外径に形成され、軸方向長さは外側可撓管体４よりも小さく、軸方向において、内側可撓管体５の先端５１は外側可撓管体４の先端よりも後端側に位置し、内側可撓管体５の後端５３は外側可撓管体４の後端４２よりも先端側に位置する。
そして、内側可撓管体５と外側可撓管体４とは少なくとも１箇所で、互いの相対位置を固定するために固着されている。本実施例では、軸方向において撚線３の後端位置よりも後端側で内側可撓管体５と外側可撓管体４との固着がされている（はんだ付け部８）。
【００３７】
また、コアシャフト２と撚線３との関係では、内側可撓管体５の先端５１は、コアシャフト２及び撚線３の先端よりも後端側、且つ、径小部２５の後端より先端側に位置し、内側可撓管体５の後端５３は撚線３の後端より後端側に位置する。
すなわち、内側可撓管体５は、軸方向において、その先端５１がコアシャフト２及び撚線３の先端から後端側に離間して位置するように配されている。
【００３８】
そして、ガイドワイヤ１には、内側可撓管体５の先端５１と、コアシャフト２と撚線３とが接合する接合部６が設けられている。具体的には、内側可撓管体５の先端位置において、内側可撓管体５とコアシャフト２及び撚線３がはんだ付けにより固着されて接合部６が構成されている。また、ピッチ拡大部４３の後端は、接合部６よりも後端側に位置している。
なお、内側可撓管体５の後端５３は、コアシャフト２の外周面に固着されている。
【００３９】
〔実施例１の作用効果〕
本実施例のガイドワイヤ１では、コアシャフト２の先端部２２に並行して撚線３が配されている。そして、コアシャフト２の先端部２２が先端に向かって段階的に細くなっている。
ここで、撚線３は素線間で相対的に微小な移動が可能であるため、自由度があり、柔軟性が高い上、塑性変形し難く、復元性が高い。
このため、柔軟性確保のため細径にしたコアシャフト２の先端部２２と並行に、塑性変形しにくい撚線３を設けることで、ガイドワイヤ１のＵ字屈曲からの復元性が向上する。
【００４０】
また、外側可撓管体４の内側でコアシャフト２の先端部２２及び撚線３を囲う内側可撓管体５を備える。これによれば、コアシャフト２の外周を内側可撓管体５が囲うため、ガイドワイヤ１の復元性が向上する。
【００４１】
また、内側可撓管体５は、その先端５１がコアシャフト２及び撚線３の先端から後端側に離間して位置するように配され、内側可撓管体５の先端と、コアシャフト２及び撚線３とが接合する接合部６が設けられている。
【００４２】
これによれば、接合部６の先端側と後端側とで剛性差が生じる上、接合部６で剛性が高くなる。すなわち、接合部６の先端側は「外側可撓管体４＋コアシャフト２及び撚線３」となり、接合部６の後端側は「外側可撓管体４＋内側可撓管体５＋コアシャフト２及び撚線３」となるので、接合部６を境界に剛性差が生じ、接合部６では内側可撓管体５の先端５１とコアシャフト２及び撚線３とがはんだ付けにより固着されるため剛性が高くなる。
【００４３】
このため、ガイドワイヤ１の使用時に、血管等の管腔内でＵ字形状に屈曲しても、その屈曲は、剛性の高い接合部６の存在により、接合部６より後端側には発展しにくくなる。
すなわち、ガイドワイヤ１が血管内で意図せずガイドワイヤ１が屈曲してしまった場合（図３（ａ）参照）、使用者が手元でガイドワイヤ１を押し進めても、剛性の高い接合部６の存在により、接合部６手前で屈曲が止まり（図３（ｂ）参照）、Ｕ字屈曲が発達してしまうことがない。
また、使用者が意図的にＵ字屈曲させたままガイドワイヤ１を挿入する手技においても、接合部６よりも後端側へのＵ字屈曲の発達は生じにくくなる。
【００４４】
この結果、Ｕ字屈曲の発達を、柔軟性に優れたガイドワイヤ１の先端部分にとどめることができる。つまり、高い復元性が確保された部分でＵ字屈曲されるので、ガイドワイヤ１が屈曲したまま塑性変形してしまうことがなく、ガイドワイヤ１の復元性が向上する。
また、仮に、接合部６でＵ字屈曲発達が止められなかったとしても、接合部６の後端側が屈曲したとしても、内側可撓管体５が存在するため、屈曲解除による復元性がよい。
【００４５】
また、外側可撓管体４は単コイルであり、外側可撓管体４の先端から所定距離範囲において、外側可撓管体４の後端部よりも単コイルのピッチが広がったピッチ拡大部４３を備え、ピッチ拡大部４３の後端は、接合部６よりも後端側に配置されている。
これにより、ガイドワイヤ１の先端の柔軟性を確保し、より滑らかな剛性徐変構造を形成することができる。
【００４６】
すなわち、本実施例のガイドワイヤ１は、先端側から後端側に向けて曲げ剛性が高くなっていく剛性徐変構造となっている。
具体的には、ガイドワイヤ１の先端から、「外側可撓管体４のピッチ広げ有り部分＋コアシャフト２及び撚線３」部分、「外側可撓管体４のピッチ広げ有り部分＋内側可撓管体５＋コアシャフト２及び撚線３」部分、「外側可撓管体４のピッチ広げ無し部分＋内側可撓管体５＋コアシャフト２及び撚線３」部分の順に、徐々に曲げ剛性が高くなる。そして、さらに後端側では、コアシャフト２のテーパにより徐々に曲げ剛性が高くなる。
このため、剛性の急激な変化による応力集中の発生をより低減することができ、トルク伝達性が向上する。
【００４７】
また、内側可撓管体５を多条中空撚線コイルとしているので、単線コイルと比較して、トルク伝達性が向上する。このため、使用者の狙い通りにガイドワイヤ１が操作できるので、治療時間を短縮できる。
また、内側可撓管体５の先端部５２が、先端に向かって徐々に細くなるテーパ状に形成されているため、上述したガイドワイヤ１の剛性徐変構造をより細かくなだらかに設定できる。また、内側可撓管体５の先端側の径を細くすることで、ガイドワイヤ１の柔軟性が向上し、管腔末梢部への挿入性が向上する。
【００４８】
また、内側可撓管体５の内径が先端から後端にかけて一定であるため、コアシャフト２及び撚線３の内側可撓管体５への挿入が容易となり、好適なガイドワイヤ１の組み付けを容易にすることができる。
【００４９】
また、中空撚線コイルを形成する金属素線は、ステンレス合金で形成されているので、内側可撓管体５の剛性を高めることができ、ガイドワイヤ１のトルク伝達性及び操作性を向上することができる。
【００５０】
〔変形例〕
実施例１では、コアシャフト２の先端部２２が先端に向かって段階的に細くされていたが、先端に向かってテーパ状に細くされていてもよい。
【００５１】
実施例１では、コアシャフト２はステンレス合金で形成されていたが、コアシャフト２の先端部分（少なくとも径小部２５）を復元性に優れている擬弾性合金（例えば、Ｎｉ−Ｔｉ合金）で形成し、後端側をステンレス合金で形成してもよい。これによれば、ガイドワイヤ１の先端部の復元性を向上させるとともに、トルク伝達性及び操作性を向上することができる。
【００５２】
また、図４に示すように、径小部２５の先端部分をステンレス合金で形成し（第１先端部２６）、径小部２５の後端部分を擬弾性合金で形成し（第２先端部２７）、径小部２５よりも後端側のコアシャフト２をステンレス合金で形成してもよい。これによれば、擬弾性合金によりコアシャフト２の先端部２２の復元性を向上させることができる。また、擬弾性合金で形成された部分の先端側及び後端側の両方にステンレス合金で形成された部分を設けることにより、後端側のトルクを確実に先端側に伝達することができ、トルク伝達性及び操作性をさらに向上することができる。
【００５３】
また、実施例１では、内側可撓管体５の先端部５２が先端に向かってテーパ状に細くされていたが、段階的に細くしてもよい。
【００５４】
また、実施例１では、内側可撓管体５はステンレス素線のみにより形成されていたが、擬弾性合金素線のみで形成してもよい。これによれば、内側可撓管体５の復元性をさらに高めることができる。
また、ステンレス素線と擬弾性合金素線を組み合わせて内側可撓管体５を形成してもよい（例えば、３本のステンレス素線と３本の擬弾性合金素線の組み合わせ）。これによれば、ステンレス合金で内側可撓管体５の剛性を高め、擬弾性合金で内側可撓管体５の復元性を高めることができる。このため、ガイドワイヤ１のトルク伝達性、操作性、及び復元性を向上することができる。
【００５５】
実施例１のガイドワイヤ１は、コアシャフト２の先端側のみを外側可撓管体４が囲う構造であったが、外側可撓管体４がコアシャフト２の全体に外装される構造であってもよい。
【符号の説明】
【００５６】
１    ガイドワイヤ
２    コアシャフト
２２  コアシャフトの先端部
２６  第１先端部
２７  第２先端部
３    撚線
４    外側可撓管体
４３  ピッチ拡大部
５    内側可撓管体
５１  内側可撓管体の先端
６    接合部
【図１】
2011000192.tif 000003
【図２】
2011000192.tif 000004
【図３】
2011000192.tif 000005
【図４】
2011000192.tif 000006
【図５】
2011000192.tif 000007